(57)【要約】【課題】支持用金属板２１、支持用金属板２２には位置決め用の腕部２１ａ、腕部２２ａが必要なため歩留まりが悪くコストがかかるという課題を有しており、余分な材料を使用せず、安価な密閉型圧縮機を提供する。【解決手段】支持用金属板１２１、支持用金属板１２２は一体ではなく別体とすることで材料が軽減でき、固定子１１９には溝部１１９ａと孔部１１９ｂが配設され、支持用金属板１２１、支持用金属板１２２は折り曲げ部１２１ａ、折り曲げ部１２２ａと孔部１２１ｂ、孔部１２２ｂとボス１２４が配設されており、溝部１１９ａと折り曲げ部１２１ａ（１２２ａ）が嵌合し、固定子固定用ボルト１２３で孔部１２１ｂ（１２２ｂ）、孔部１１９ｂを通してブロック１１１に固定している。これにより、位置決めが容易となり、作業性を損なうことがなく、安価な密閉型圧縮機を提供することができる。【選択図】図３
2012102608.tif 000002
【特許請求の範囲】
【請求項１】
密閉容器内に収納されるブロックと、前記ブロックの上側に配設される圧縮要素と、前記ブロックの下側に配設され固定子及びこの固定子の内側に配設される回転子から構成される電動要素と、前記電動要素の下側面に支持用金属板を配設し、前記支持用金属板を固定子固定用ボルトによって前記ブロックに締結、固定した密閉型圧縮機であって、前記支持用金属板には折り曲げ部と孔を設け、前記固定子には溝部と孔を設け、前記支持用金属板の折り曲げ部を前記固定子の溝へ嵌合し、前記固定子固定用ボルトを、前記支持用金属板の孔と前記固定子の孔に挿入して前記ブロックに固定した密閉型圧縮機。
【請求項２】
前記支持用金属板の折り曲げ部を２箇所設け、かつ前記固定子の溝部を２箇所設け、前記折り曲げ部は、前記支持用金属板に設けた孔に対して対称の位置に配設し、かつ前記固定子の溝部を、前記固定子に設けた孔に対して対称の位置に配設した請求項１に記載の密閉型圧縮機。
【発明の詳細な説明】
【技術分野】
【０００１】
本発明は、密閉型圧縮機の支持構造に関するものである。
【背景技術】
【０００２】
従来、この種の密閉型圧縮機は、特許文献１に示すようなものがある。
【０００３】
以下、図面を参照しながら上記従来の密閉型圧縮機を説明する。
【０００４】
図４は、特許文献１に記載された従来の密閉型圧縮機の縦断面図、図５は、従来の密閉型圧縮機で、支持用金属板と固定子を立体的に表した分解図である。
【０００５】
図４、図５おいて、上容器１と、下容器２を嵌合させて全周溶接にて密封した密閉容器３内には、電動要素４とこの電動要素４により駆動される圧縮要素５とからなる電動圧縮要素６が複数のスプリング７によって弾性的に保持され、下容器２の底部には冷凍機油８を貯留している。
【０００６】
圧縮要素５は、シリンダ１０と軸受け部１１を形成するブロック１２と、シリンダ１０内に往復自在に嵌入されたピストン１３と、軸受け部１１に軸支された主軸部１４及びその上方に形成された偏芯部１５からなるシャフト１６と、偏芯部１５とピストン１３を、スコッチヨーク機構１７を介して連結している。
【０００７】
電動要素４は、巻線１８を施した固定子１９と回転子２０から構成されており、固定子１９は、ブロック１２の下方に一対の支持用金属板２１、支持用金属板２２を介してそれぞれ２個ずつの固定子固定用ボルト２３で固定され、回転子２０は、シャフト１６の主軸部１４に焼嵌め等で固定されている。
【０００８】
支持用金属板２１、支持用金属板２２は、腕部２１ａ、腕部２２ａと、腕部２１ａと腕部２２ａの両端に端部２１ｂ、端部２２ｂを配設し、端部２１ｂ、端部２２ｂにはボス２４が配設されており、ボス２４に対向する位置にボス２５を下容器２に配設し、スプリング７をボス２４とボス２５の間に装着している。
【先行技術文献】
【特許文献】
【０００９】
【特許文献１】特開平５−２４８３５５号公報
【発明の概要】
【発明が解決しようとする課題】
【００１０】
しかしながら、前記従来の構成では、支持用金属板２１、支持用金属板２２に位置決め用の腕部２１ａ、腕部２２ａが必要なため、歩留まりが悪く、コストがかかるという課題を有していた。
【００１１】
本発明は、前記従来の課題を解決するもので、安価な密閉型圧縮機を提供することを目的とする。
【課題を解決するための手段】
【００１２】
前記従来の課題を解決するために、本発明の密閉型圧縮機は、支持用金属板に折り曲げ部を設け、この折り曲げ部を、固定子の溝に嵌合するとしたものである。これによって、
位置決め用の腕部を削減することができる。
【発明の効果】
【００１３】
本発明の密閉型圧縮機は、支持用金属板に折り曲げ部を設け、この折り曲げ部を固定子の溝に嵌合することにより、安価な密閉型圧縮機を提供することができる。
【図面の簡単な説明】
【００１４】
【図１】本発明の実施の形態１における密閉型圧縮機の縦断面図
【図２】本発明の実施の形態１における密閉型圧縮機の支持用金属板と固定子を立体的に表した分解図
【図３】図２の部分詳細図
【図４】従来の密閉型圧縮機の縦断面図
【図５】従来の支持用金属板と固定子を立体的に表した分解図
【発明を実施するための形態】
【００１５】
第１の発明は、密閉容器内に収納されるブロックと、前記ブロックの上側に配設される圧縮要素と、前記ブロックの下側に配設され固定子及びこの固定子の内側に配設される回転子から構成される電動要素と、前記電動要素の下側面に支持用金属板を配設し、前記支持用金属板を固定子固定用ボルトによって前記ブロックに締結、固定した密閉型圧縮機であって、前記支持用金属板には折り曲げ部と孔を設け、前記固定子には溝部と孔を設け、前記支持用金属板の折り曲げ部を前記固定子の溝へ嵌合し、前記固定子固定用ボルトを、前記支持用金属板の孔と前記固定子の孔に挿入してブロックに固定することで、安価な密閉型圧縮機を提供することができる。
【００１６】
第２の発明は、特に、第１の発明において、前記支持用金属板の折り曲げ部を２箇所設け、かつ前記固定子の溝部を２箇所設け、前記折り曲げ部は、前記支持用金属板に設けた孔に対して対称の位置に配設し、かつ前記固定子の溝部を、前記固定子に設けた孔に対して対称の位置に配設することで支持用金属板を兼用することができ、さらに安価な密閉型圧縮機を提供することができる。
【００１７】
以下、本発明の実施の形態について、図面を参照しながら説明する。尚、この実施の形態によってこの発明が限定されるものではない。
【００１８】
（実施の形態１）
図１は、本発明の実施の形態１における密閉型圧縮機の縦断面図、図２は、実施の形態１における密閉型圧縮機の支持用金属板と固定子を立体的に表した分解図、図３は、図２の部分詳細図である。
【００１９】
図１から図３において、上容器１０１と、下容器１０２を嵌合させて全周溶接にて密封した密閉容器１０３内には、電動要素１０４とこの電動要素１０４により駆動される圧縮要素１０５とからなる電動圧縮要素１０６が複数のスプリング１０７によって弾性的に保持され、下容器１０２の底部には、冷凍機油１０８を貯留している。
【００２０】
圧縮要素１０５は、シリンダ１１０と軸受け部１１３を形成するブロック１１１と、シリンダ１１０内に往復自在に嵌入されたピストン１１２と、軸受け部１１３に軸支された主軸部１１５、及びその上方に形成された偏芯部１１６からなるシャフト１１７と、偏芯部１１６とピストン１１２を連結するコンロッド１１８を備えている。
【００２１】
電動要素１０４は、巻線１１８を施した固定子１１９と回転子１２０から構成されており、固定子１１９は、その鉄心を形成する多数の鉄板が、ブロック１１１の下方より、支
持用金属板１２１、支持用金属板１２２を介してそれぞれ固定子固定用ボルト１２３により、積層状態で固定され、回転子１２０は、シャフト１１７の主軸部１１５に焼嵌め等で固定されている。
【００２２】
固定子１１９と支持用金属板１２１、１２２についてさらに詳述すると、固定子１１９には、下部の所定の枚数に設けた溝部１１９ａと、積層された鉄板全てに設けられ、貫通状態の孔部１１９ｂが形成されている。
【００２３】
また、支持用金属板１２１、支持用金属板１２２には、溝部１１９ａに挿入される折り曲げ部１２１ａ、折り曲げ部１２２ａと、孔部１１９ｂと軸心が一致する孔部１２１ｂ、孔部１２２ｂと、後述するボス１２４が配設されており、溝部１１９ａと折り曲げ部１２１ａ（１２２ａ）が嵌合し、固定子固定用ボルト１２３で孔部１２１ｂ（１２２ｂ）、孔部１１９ｂを通してブロック１１１に固定している。
【００２４】
ボス１２４に対向する位置には、ボス１２５を下容器１０２に配設し、スプリング１０７を、ボス１２４とボス１２５の間に装着している。
【００２５】
以上のように構成された密閉型圧縮機について、以下その動作、作用を説明する。
【００２６】
電動要素１０４に通電されると、回転子１２０が回転し、これに伴ってシャフト１１７も回転する。そして、偏芯部１１６の旋回運動がコンロッド１１８によって往復運動に変換され、その往復運動がピストン１１２に伝わることで、ピストン１１２は、シリンダ１１０内で往復運動を行い、圧縮要素１０５が所定の圧縮動作を行う。
【００２７】
圧縮要素１０５と電動要素１０４からなる電動圧縮要素１０６は、支持用金属板１２１、支持用金属板１２２に設けたボス１２４と、下容器１０２に設けたボス１２５との間に装着したスプリング１０７で支持されており、このスプリング１０７によって圧縮動作による振動を軽減させている。
【００２８】
ここで、支持用金属板１２１、支持用金属板１２２は、一体ではなく、個々に別体とすることで材料が軽減できる。また、折り曲げ部１２１ａ、折り曲げ部１２２ａを固定子１１９の溝部１１９ａに嵌合させることで、位置決めが容易となり、支持用金属板１２１、１２２の取り付け作業性を損なうことがない。その結果、安価な密閉型圧縮機を提供することができる。
【００２９】
さらに、支持用金属板１２１、１２２の折り曲げ部１２１ａ、１２２ａを２箇所設け、かつ固定子１１９の溝部１１９ａを２箇所設けた構成において、折り曲げ部１２１ａ、１２２ａは、支持用金属板１２１、１２２に設けた孔１２１ｂ、１２２ｂに対して対称の位置に配設し、かつ固定子１１９の溝部１１９ａを、固定子１１９に設けた孔１２１ｂ、１２２ｂに対して対称の位置に配設することで、同一形状の支持用金属板１２１、１２２を使用することができ、支持用金属板１２１、１２２を一つの金型で成型できることから、さらに安価な密閉型圧縮機を提供することができる。
【産業上の利用可能性】
【００３０】
以上のように本発明にかかる密閉型圧縮機は、余分な材料を削減でき、安価な密閉型圧縮機を提供することができるので、自販機、冷凍ショーケース、除湿機などの用途にも適用できる。
【符号の説明】
【００３１】
１０１  上容器
１０２  下容器
１０３  密閉容器
１０４  電動要素
１０５  圧縮要素
１１１  ブロック
１１９  固定子
１１９ａ  溝部
１１９ｂ  孔部
１２０  回転子
１２１  支持用金属板
１２２  支持用金属板
１２１ａ  折り曲げ部
１２２ａ  折り曲げ部
１２１ｂ  孔部
１２２ｂ  孔部
１２３  固定子固定用ボルト
【図１】
2012102608.tif 000003
【図２】
2012102608.tif 000004
【図３】
2012102608.tif 000005
【図４】
2012102608.tif 000006
【図５】
2012102608.tif 000007